(57)【特許請求の範囲】
【請求項１】
プラグとレセプタクルとをそれぞれ基板に接続するとともに着脱される基板間接続コネクタであって、
一枚の合成樹脂からなる薄型の第１絶縁体と、該第１絶縁体に保持されるとともに互いに平行になるように列設する所要数の導電性金属からなる第１端子を有するプラグと、
一枚の合成樹脂からなる薄型の第２絶縁体と、一端が前記第２絶縁体に保持されるとともに、他端が前記第２絶縁体から離れる方向に張出すように列設する前記第１端子と同数の弾性金属からなる片持ち式の第２端子を有するレセプタクルとを備え、
嵌合時における基板間を１ｍｍ前後とする超薄型の前記プラグ及び前記レセプタクルとを、嵌合後にスライド係止することにより前記第１及び前記第２端子の接続が得られる基板間接続コネクタにおいて、
前記プラグには、前記レセプタクルが挿入される前記第１絶縁体の嵌合側に、前記レセプタクルをスライド係止する嵌合係止部と、前記第１端子が配設された底部を有する多数の畝状突起間溝とを有し、
前記レセプタクルには、前記第２絶縁体の嵌合側に、前記プラグとスライド係止する際に前記嵌合係止部と係合するフック付き係止片を有し、前記嵌合係止部に対応する位置でかつ、前記嵌合係止部と嵌合係止する縦方向（前記片持ち式端子と同方向）に張出すフック付き係止片が配置され、
前記プラグを前記レセプタクルに対し垂直下方に重ねた状態で、前記レセプタクルの第２端子が、前記プラグの畝状突起間溝内に挿入され、前記第１端子と弾性をもって接続され、かつ、前記プラグを前記レセプタクルの第２絶縁体に対し平行に移動させたスライド係止状態で、前記プラグの嵌合係止部に、前記レセプタクルのフック付き係止片が嵌合係止されることを特徴とする基板間接続コネクタ。
【請求項２】
前記レセプタクルの第２端子は、前記第２絶縁体の、前記プラグをスライド係止させるときの移動方向の両側に位置する枠体から、それぞれ同数の第２端子が、非連続状態で互いに向かい合って張出すように列設されていることを特徴とする請求項１に記載の基板間接続コネクタ。
【発明の詳細な説明】
【０００１】
【発明の属する技術分野】
この発明は、電子機器や電気機器において、基板間が１ｍｍ前後の超薄型プラグ及びレセプタクルの基板間接続コネクタに関する。
【０００２】
【従来の技術】
従来、電子機器の基板間接続コネクタは、プラグ側から先端にフックを設けたＬ字又はコ字状端子が嵌合方向に垂直に伸びて、相対するレセプタクルのフック付き端子と嵌合する嵌合部と結線部とが設けられていた。この構成は各端子が嵌合する際、相手側のフック隆起部を乗り切るために、ばね性を有し、カンチレバー式に弾性変形して嵌合、接続されるようになっている。また近年、薄型の基板間接続コネクタにおいては、例えば特開平５−２７５１４７号公報や特開平１１−３２９６３６号公報に記載のコネクタのように、端子部はコンタクトと圧接して、電気的接続を保つと共に、基板間の接続は、基板自体又は他の要素によって互いに内側垂直方向に伸びる突条及び係合用穴又は溝穴によって、基板間に強固な嵌合を行っている。
【０００３】
【先行技術文献】
【特許文献１】
特開平５−２７５１４７号公報
【特許文献２】
特開平１１−３２９６３６号公報
【０００４】
【発明が解決しようとする課題】
しかしながら、上述のような基板間接続コネクタのような構造で、基板間を１ｍｍ前後の超薄型プラグ及びレセプタクルにしようとすると、端子は非常に短くなり、互いにフック嵌合しようとしても、長さが短いために十分なばね性を備えることができず、塑性変形して再度の使用に耐えない不都合が生じていた。また、基板間の長さに応じて、片持ち端子のフックを小さくすれば、嵌合後の接続維持が不十分で、また接合部分が汚れにより接触不良になったり、折れ曲がり、又は破損して、電気接続のトラブルの原因ともなっていた。このように、ある設計限界を超えると、コネクタの機械的、電気的機能はすぐに損なわれる。
【０００５】
【課題を解決するための手段】
この発明は上記のような欠点を除去し、超薄型にもかかわらず、機械的、電気的機能の安定した基板間接続コネクタを提供することを目的とする。このために、この発明の基板間接続コネクタは、一枚の合成樹脂からなる薄型の第１絶縁体と、該第１絶縁体に保持されるとともに互いに平行になるように列設する所要数の導電性金属からなる第１端子を有するプラグと、一枚の合成樹脂からなる薄型の第２絶縁体と、一端が前記第２絶縁体に保持されるとともに、他端が前記第２絶縁体から離れる方向に張出すように列設する前記第１端子と同数の弾性金属からなる片持ち式の第２端子を有するレセプタクルとを備え、嵌合時における基板間を１ｍｍ前後とする超薄型の前記プラグ及び前記レセプタクルとを、嵌合後にスライド係止することにより前記第１及び前記第２端子の接続が得られる基板間接続コネクタにおいて、前記プラグには、前記レセプタクルが挿入される前記第１絶縁体の嵌合側に、前記レセプタクルをスライド係止する嵌合係止部と、前記第１端子が配設された底部を有する多数の畝状突起間溝とを有し、
前記レセプタクルには、前記第２絶縁体の嵌合側に、前記プラグとスライド係止する際に前記嵌合係止部と係合するフック付き係止片を有し、前記プラグを前記レセプタクルに対し垂直下方に重ねた状態で、前記レセプタクルの第２端子が、前記プラグの畝状突起間溝内に挿入され、前記第１端子と弾性をもって接続され、かつ、前記プラグを前記レセプタクルの第２絶縁体に対し平行に移動させたスライド係止状態で、前記プラグの嵌合係止部に、前記レセプタクルのフック付き係止片が嵌合係止されることを特徴とする基板間接続コネクタにする。
【０００６】
また、前記レセプタクルの第２端子は、前記第２絶縁体の、前記プラグをスライド係止させるときの移動方向の両側に位置する枠体から、それぞれ同数の第２端子が、非連続状態で互いに向かい合って張出すように列設されている。
【０００７】
この発明の基板間接続コネクタは、各々の端子及び係合部材が実質的に基板の内部に納められているので、確実な電気接続及びプラグとレセプタクル間の確実な嵌合及び繰り返し使用を可能とし、両基板を重ね合わせても１ｍｍ前後の超薄型基板間接続コネクタが得られたものである。
【０００８】
【発明の実施態様】
図１及び図２に、この発明の基板間接続コネクタのプラグとレセプタクルとを嵌合させた状態の表面と裏面との見取り図を示し、図３及び図４にプラグの表面と裏面との見取り図を示し、また図５にはプラグの嵌合側に設けた多数の畝状突起間溝の間に導入され、露出しているプラグ側の各端子示す。さらに図６及び図７にレセプタクルの表面と裏面との見取り図を示し、図８に図７のＹ−Ｙ断面のレセプタクル側の片持ち式端子の先端の状態を示す。なお、この発明との比較のために、従来型の厚型プラグを図９乃至１１に示す。
【０００９】
この発明の基板間接続型コネクタ１は、一枚の合成樹脂からなる薄型の第１絶縁体２に所要数の導電性金属からなる第１端子３が互いに平行になるように縦方向（図面上）に列設し、前記第１絶縁体適所に前記第１端子３に平行に縦方向に移動（移動方向矢印４）するとき、後述する係止片と嵌合する嵌合係止部１３を設けたプラグ５と、一枚の合成樹脂からなる薄型の第２絶縁体６にプラグ側と同数の弾性金属からなる片持ち式の第２端子１２を、一端が前記第２絶縁体６に保持されるとともに、他端が前記第２絶縁体６から離れる方向に張出すように列設するとともに、この第２絶縁体６の適所に前記片持ち式の第２端子１２と反対方向に張出すフック付き係止片８を設けたレセプタクル９とを備えている。
【００１０】
図４及び図５に示すように、コネクタ１のプラグ５の前記レセプタクルが挿入される嵌合側には、列設する第１端子３が配設された底部を有する多数の畝状突起１０間の溝１１を有している。
【００１１】
前記レセプタクル９の片持ち式の第２端子１２は、前記第２絶縁体６の前後側の枠体から、前記プラグ５と同数の前記第２端子１２が互いに向かい合って張出すように、且つ両者は非連続状態で列設されている。また、プラグ５の前記第１絶縁体２には第１端子３が平行に移動するとき嵌合する嵌合係止部１３を設けるとともに、前記レセプタクル９側の第２絶縁体６適所に同方向（縦方向）に張出すフック付きの係止片８を設ける。
【００１２】
図６乃至８に示す通り、プラグ５とレセプタクル９とを重ね合わせ、レセプタクル側の片持ち式の前記第２端子１２が、前記第２絶縁体６の両側の枠体から、同数の前記第２端子１２が互いに向かい合って張出すようにし、このレセプタクル側の各第２端子１２がプラグ側の第１絶縁体２の嵌合側、すなわちプラグ側の第１絶縁体２に設けた多数の畝状突起１０間の溝１１の間に挿入され、前記底部に露出しているプラグ側の各第１端子３表面に弾性をもって接続される。その後プラグ側の第１絶縁体２をレセプタクル側の第２絶縁体６に対して端子列に平行に移動（図１の矢印４方向）させ、プラグ側の嵌合係止部１３がレセプタクル側のフック付きの係止片８に嵌合係止される時にも、前記レセプタクル側の第２端子１２の先端に取付けられた湾曲形末端１４が、前記プラグ側の嵌合係止部１３に前記レセプタクル側の係止片８が嵌合係止されるので、前記レセプタクル側の第２端子１２の先端に設けられた湾曲形末端１４が、前記プラグ側の溝部１１の底部の第１端子３表面に接続され、安定的な電気接続を実現する。またこの場合、前記レセプタクル９の片持ち式の第２端子１２は前記プラグ５を押し上げるように作用するが、他方、前記プラグ側の嵌合係止部１３に前記レセプタクル側のフック付き係止片８が係合したときには、前記プラグの縦方向移動だけでなく、前記プラグと前記レセプタクルの離間も阻止するように構成されている。
【００１３】
【発明の効果】
この発明は以上のように構成したので、前記プラグと前記レセプタクルとを嵌合させ、前記レセプタクル側の片持ち式の第２端子１２が、前記第２絶縁体６の枠体から、同数の第２端子１２が片持ち式に張出すようにし、この前記レセプタクル側の第２端子１２が前記プラグ側の前記第１絶縁体２の嵌合側、すなわちプラグ側の嵌合側に設けた畝状突起１０間溝１１の間に挿入され、前記溝１１の底部に露出している前記プラグ側の各第１端子表面に弾性をもって接続される。その後、前記プラグ側の前記第１絶縁体２をレセプタクル側の前記第２絶縁体６に対して端子列に平行にすなわち縦方向(図面上)に移動させ、前記プラグ側の嵌合係止部１３に前記レセプタクル側のフック付き係止片８が嵌合係止され、前記プラグと前記レセプタクルの嵌合を確実なものとする。
特に、前記レセプタクル側の第２端子１２の先端に設けられた湾曲形末端が、プラグ側の畝状突起１０間溝１１の底部の第１端子表面に接続され、この場合、前記レセプタクルの片持ち式の第２端子１２は前記プラグを押し上げるように作用するが、他方、前記プラグ側の嵌合係止部１３に前記レセプタクル側の係止片８が係合したときには、前記プラグの縦方向移動だけでなく、前記プラグと前記レセプタクルの離間も阻止するように構成されているのでプラグとレセプタクルとの接続は確実且つ安定したものとなる。
なおこれらの嵌合係止は比較的簡単な構成なので、強い力で逆方向に押すと、前記プラグと前記レセプタクルとは容易に外れ、繰り返しの使用に耐える。
【図面の簡単な説明】
【図１】この発明のコネクタのプラグとレセプタクルとを嵌合させた状態の、表面の見取り図である。
【図２】この発明のコネクタのプラグとレセプタクルとを嵌合させた状態の、裏面の見取り図である。
【図３】図１に示したコネクタのプラグの表面の見取り図を示す。
【図４】図１に示したコネクタのプラグの裏面の見取り図を示す。
【図５】図４のＸ−Ｘ線で破断した部分拡大断面図である。
【図６】図２に示したコネクタのレセプタクルの表面の見取り図を示す。
【図７】図２に示したコネクタのレセプタクルの裏面の見取り図を示す。
【図８】図７のＹ−Ｙ線で破断した部分拡大断面図である。
【図９】従来の厚型コネクタのプラグを示す断面図である。
【図１０】従来の厚型コネクタのレセプタクルを示す断面図である。
【図１１】両者が嵌合した状態の厚型コネクタを示す断面図である。
【符号の説明】
１    コネクタ
２    第１絶縁体
３    第１端子
４    移動方向
５    プラグ
６    第２絶縁体
８    係止片
９    レセプタクル
１０  畝状突起
１１  溝
１２  第２端子
１３  嵌合係止部
１４  湾曲形末端
【図１】
0004155799.tif 000002
【図２】
0004155799.tif 000003
【図３】
0004155799.tif 000004
【図４】
0004155799.tif 000005
【図５】
0004155799.tif 000006
【図６】
0004155799.tif 000007
【図７】
0004155799.tif 000008
【図８】
0004155799.tif 000009
【図９】
0004155799.tif 000010
【図１０】
0004155799.tif 000011
【図１１】
0004155799.tif 000012